(57)【特許請求の範囲】
【請求項１】
樋状のライティングケースと、ライティングケースの開口部に装着して直管形ランプに通電するライティングユニットとを備え、該ライティングユニットは、略帯状の反射板と、該反射板の両端部に装着する直管形ランプ用のソケットと、該ソケットを取付けるソケットベースとを有し、該ソケットベースにソケットを連結せしめる開口部を形成すると共に、反射板の両端部に挿通口を形成し、該挿通口から下方にソケットが突出するように構成した直管形２灯用ライティングユニットであって、
前記ソケットベースの開口部内に着脱自在に嵌合する嵌合連結体と、前記反射板の挿通口から下方に突出する支持体とを組み合せて使用する連結ベースを設け、支持体下面に２灯用の直管形ランプを装着せしめる一対のソケットを連結したことを特徴とする直管形２灯用ライティングユニット。
【請求項２】
前記連結ベースにおいて、嵌合連結体は、前記支持体と相対向するように設けられ、前記ソケットベースの開口部の内部に係合する係合部と、前記支持体の外側面に係止する係止爪とを備えると共に、前記ソケットを連結せしめる前記支持体の上端部に連設され前記ソケットベースの開口部の内側に強制嵌合する嵌合片を設け、前記係合部を前記ソケットベースの開口部内に係合し、前記係止爪にて前記支持体の外側面を係止すると共に、前記支持体上端の嵌合片を前記ソケットベースの開口部内に嵌合するように構成した請求項１記載の直管形２灯用ライティングユニット。
【請求項３】
前記支持体は、前記一対のソケットが外側に傾斜するように連結され、前記一対の直管形ランプの下端面相互で成す角度が４５度になるように構成された請求項１記載の直管形２灯用ライティングユニット。
【請求項４】
前記支持体は側面逆三角形状を成し、各角部の位置に、前記嵌合連結体の前記係止爪が係止する被係止部を夫々形成すると共に、左右の被係止部と下端部の被係止部との間に一対の係合口を形成し、該係合口に前記ソケットを一対連結した請求項２記載の直管形２灯用ライティングユニット。
【請求項５】
前記ソケットは、直管形ＬＥＤランプ用のソケットとし、該ソケット及び隣接する直管形ＬＥＤランプ用のソケットに電源を供給するコネクタと、これらソケット及びコネクタを装着するマウントベースとを設け、該マウントベースは、ソケットを取付けるソケットベースと、コネクタを取付けるコネクタベースとが間隙を空けて上下に設置されており、該間隙で直管形ＬＥＤランプのタイプ別又は給電方式別の配線を行う配線スペースを形成した請求項１記載の直管形２灯用ライティングユニット。
【発明の詳細な説明】
【技術分野】
【０００１】
本発明は、１灯用の直管形ランプが装着される反射板やランプソケットを共用し、直管形ランプを２灯装着することができる直管形２灯用ライティングユニットに関するものである。
【背景技術】
【０００２】
当出願人は、先に特許文献１に記載のごとく、タイプが異なる直管形ＬＥＤランプを合理的に装着することができる直管形ＬＥＤランプ用照明システムを提案している。このシステムは、樋状のライティングケースと、直管形ＬＥＤランプに通電してライティングケースの開口部に装着するライティングユニットとを備えた照明システムである。
【０００３】
このライティングユニットは、略帯状の反射板と、該反射板の両端部に装着する直管形ＬＥＤランプＰ用のソケット及びコネクタと、これらソケット及びコネクタを装着するマウントベースとで構成されている。
【０００４】
更に、このマウントベースは、ソケットを取付けるソケットベースと、コネクタを取付けるコネクタベースとが間隙を空けて上下に設置されており、該間隙で直管形ＬＥＤランプのタイプ別及び給電方式別の配線を行う配線スペースを形成した照明システムである。
【０００５】
一方、特許文献２に、２灯用の直管形照明器具が記載されている。この照明器具には、器具筐体の長手両端部に夫々一対の蛍光灯ソケットを設けたもので、これらの蛍光灯ソケットに直管形の蛍光灯を２灯装着するように構成したものである。
【先行技術文献】
【特許文献】
【０００６】
【特許文献１】特許第５２５２３５８号公報
【特許文献２】特開平７-３０２５０８号公報
【発明の概要】
【発明が解決しようとする課題】
【０００７】
特許文献１に記載の照明システムにより、タイプが異なる直管形ＬＥＤランプを合理的に装着することに成功したが、更に、２灯用の照明システムの提供が望まれている。
【０００８】
従来の２灯用の直管形照明器具は、特許文献２に記載のごとく、器具筐体と蛍光灯ソケットが一体の構成になっているので、特許文献１のように、ソケットベースとコネクタベースとが間隙を空けて上下に設置され、該間隙で直管形ＬＥＤランプのタイプ別及び給電方式別の配線を行うことはできない構成であった。
【０００９】
また、特許文献１のソケットを横並びの２灯用に変更することも可能であるが、この場合、平行に並んだ２灯の直管形照明ランプに合わせて反射板の幅も広くする必要が生じる。したがって、照明システム全体の幅が広くなってしまう不都合があった。
【００１０】
そこで、本発明は上述の課題を解消すべく創出されたもので、１灯用に設けられている反射板やソケットベースを共用して２灯用に変更することができる直管形２灯用ライティングユニットの提供を目的とするものである。
【課題を解決するための手段】
【００１１】
上述の目的を達成すべく本発明における第１の手段は、樋状のライティングケース１０と、ライティングケースの開口部に装着して直管形ランプＰに通電するライティングユニット２０とを備え、該ライティングユニット２０は、略帯状の反射板２１と、該反射板２１の両端部に装着する直管形ランプＰ用のソケット２２と、該ソケット２２を取付けるソケットベース２５とを有し、該ソケットベース２５にソケット２２を連結せしめる開口部２８を形成すると共に、反射板２１の両端部に挿通口２１Ａを形成し、該挿通口２１Ａから下方にソケット２２が突出するように構成した直管形２灯用ライティングユニットであって、
前記ソケットベース２５の開口部２８内に着脱自在に嵌合する嵌合連結体３１と、前記反射板２１の挿通口２１Ａから下方に突出する支持体３５とを組み合せて使用する連結ベース３０を設け、支持体３５下面に２灯用の直管形ランプＰを装着せしめる一対のソケット２２を連結したことにある。
【００１２】
第２の手段は、前記連結ベース３０において、嵌合連結体３１は、前記支持体３５と相対向するように設けられ、前記ソケットベース２５の開口部２８の内部に係合する係合部３２と、前記支持体３５の外側面に係止する係止爪３３とを備えると共に、前記ソケット２２を連結せしめる前記支持体３５の上端部に連設され前記ソケットベース２５の開口部２８の内側に強制嵌合する嵌合片３４を設け、前記係合部３２を前記ソケットベース２５の開口部２８内に係合し、前記係止爪３３にて前記支持体３５の外側面を係止すると共に、前記支持体３５上端の嵌合片３２を前記ソケットベース２５の開口部２８内に嵌合するように構成している。
【００１３】
第３の手段は、前記支持体３５は、前記一対のソケット２２が外側に傾斜するように連結され、前記一対の直管形ランプＰの下端面相互で成す角度が４５度になるように構成したものである。
【００１４】
第４の手段において、前記支持体３５は側面逆三角形状を成し、各角部の位置に、前記嵌合連結体３１の前記係止爪３３が係止する被係止部３６を夫々形成すると共に、左右の被係止部３６と下端部の被係止部３６との間に一対の係合口３７を形成し、該係合口３７に前記ソケット２２を一対連結したものである。
【００１５】
第５の手段において、前記ソケット２２は、直管形ＬＥＤランプ用のソケット２２とし、該ソケット２２及び隣接する直管形ＬＥＤランプ用のソケット２２に電源を供給するコネクタ２３と、これらソケット２２及びコネクタ２３を装着するマウントベース２４とを設け、該マウントベース２４は、ソケット２２を取付けるソケットベース２５と、コネクタ２３を取付けるコネクタベース２６とが間隙を空けて上下に設置されており、該間隙で直管形ＬＥＤランプのタイプ別又は給電方式別の配線を行う配線スペースを形成したものである。
【発明の効果】
【００１６】
請求項１のように、開口部２８内に着脱自在に嵌合する嵌合連結体３１と、前記反射板２１の挿通口２１Ａから下方に突出する支持体３５とを組み合せて使用する連結ベース３０を設け、支持体３５下面に２灯用の直管形ランプＰを装着せしめる一対のソケット２２を連結したことにより、１灯用に設けられている反射板やソケットベースを共用して２灯用に変更することができる。
【００１７】
請求項２のごとく、前記連結ベースの嵌合連結体３１は、前記支持体３５の前記開口部２８側に設けられ、前記開口部２８の内側に強制嵌合する嵌合片３４と、前記開口部２８の内部に係合する係合部３２と前記支持体３５の外側面に係止する係止爪３３とを備え、係止爪３３にて係止された前記支持体３５側の嵌合片３４を前記開口部２８に嵌合するように構成したことで、ねじ等の固定手段を使用せずに堅固に固定することができる。しかも、ねじ等が使用されていないので外観上の体裁も良好になる。
【００１８】
請求項３のように、前記連結ベース３０において、前記支持体３５は、前記一対のソケット２２を外側に傾斜して連結するように構成し、一対の直管形ランプＰの下面相互で成す角度が４５度となるようにソケット２２を連結支持するものであるから、各ソケット２２に配線する電線をソケット２２相互間からソケットベース２５の開口部２８に収束させることができるので、狭い空間でも器具内部への引き出し作業が容易になる。しかも、傾斜した直管形ランプＰは、平行に接続する従来の２灯用ランプに比べて直管形ランプＰ全体の幅が狭くなるので、直管形ランプＰ装着時の省スペース化を図ることができる。
【００１９】
請求項４のごとく、前記支持体３５は側面逆三角形状を成し、各角部の位置に、前記嵌合連結体３１の前記係止爪３３が係止する被係止部３６を夫々形成すると共に、左右の被係止部３６と下端部の被係止部３６との間に一対の係合口３７を形成し、該係合口３７に前記ソケット２２を一対連結したことにより、一対のソケット２２をコンパクトに連結することができる。しかも、支持体３５が側面逆三角形状を成し各角部の位置に設けた被係止部３６を係止爪３３が係止するので、強度的にも優れた連結ベース３０が構成されるものである。
【００２０】
請求項５のように、前記ソケット２２は、直管形ＬＥＤランプ用のソケット２２とし、該ソケット２２及び隣接する直管形ＬＥＤランプ用のソケット２２に電源を供給するコネクタ２３と、これらソケット２２及びコネクタ２３を装着するマウントベース２４と、を設け、該マウントベース２４は、ソケット２２を取付けるソケットベース２５と、コネクタ２３を取付けるコネクタベース２６とを備え、これらソケットベース２５からコネクタベース２６までに間隙を設け、該間隙で各種ＬＥＤドライバの二次側電線をソケット２２に連結するスペースを形成したことにより、タイプが異なる直管形ＬＥＤランプを装着することができる。特に、ソケットベース２５とコネクタベース２６とを離れた状態に設けることで、直管形ＬＥＤランプのタイプや給電方式が異なっていても合理的に接続することができる。
【００２１】
しかも、直管形ランプＰとして直管形ＬＥＤランプを使用することで、指向性の強い直管形ＬＥＤランプの配光範囲を広げることができるものである。
【図面の簡単な説明】
【００２２】
【図１】本発明のライティングユニットを示す分解斜視図である。
【図２】本発明の連結ベースの装着状態を示す側面図である。
【図３】本発明の連結ベースの装着状態を示す正面図である。
【図４】本発明の連結ベースの一実施例を示す分解斜視図である。
【図５】本発明の連結ベースの係合部をソケットベースの開口部に係合した状態を示す一部切欠側面図である。
【図６】本発明の連結ベースの嵌合片を開口部の嵌合凹部に嵌合する状態を示す一部切欠側面図である。
【図７】本発明の連結ベースの係合部と嵌合片とで固定した状態を示す一部切欠側面図である。
【図８】本発明の使用状態の一実施例を示す側面図である。
【図９】本発明のライティングケースを外した分解斜視図である。
【発明を実施するための形態】
【００２３】
本発明によると、１灯用に設けられている反射板やソケットベースを共用して２灯用に変更することができるなどといった当初の目的を達成した。
【００２４】
以下、本発明の実施例を説明する。本発明照明システムの基本構成は、ライティングケース１０、ライティングユニット２０、連結ベース３０にて構成されている（図１参照）。
【００２５】
ライティングケース１０は、樋状を成した形状で、天井等に吊り金具５０で吊下げられ、下を向いた開口部に、ライティングユニット２０を装着するように設けられている（図８参照）。そして、本発明照明システムの設置手順は、ライティングケース１０を長手方向に連設した後に、ライティングユニット２０を順次装着するものである（図９参照）。
【００２６】
ライティングユニット２０は、ライティングケースの開口部に装着して直管形ランプＰに通電する装置で、略帯状の反射板２１と、該反射板２１の両端部に装着する直管形ランプＰ用のソケット２２と、該ソケット２２を取付けるソケットベース２５とを備えている（図１参照）。そして、このソケットベース２５に、ソケット２２を下向きに装着せしめる開口部２８を形成している。
【００２７】
反射板２１は、略帯状を成し、ライティングケース１０の開口部を施蓋するように設けられている（図１参照）。そして、反射板２１の長手両端部に装着したソケット２２に直管形ランプＰを連結すると、反射板２１の下面にソケット２２が設置されるものである（図２参照）。
【００２８】
図示例では、反射板２１の両端部に挿通口２１Ａを形成している（図１参照）。この挿通口２１Ａは、平面略コ字状に切り欠いた形状を成し、ソケット２２を装着したソケットベース２５と重ねるように構成している。更に、挿通口２１Ａの側縁に沿ってソケットベース２５を係止する係止突起２１Ｂを形成し、この係止突起２１Ｂ内にソケットベース２５の端部を嵌合する（図３参照）。
【００２９】
連結ベース３０は、嵌合連結体３１と支持体３５とを組み合わせて使用する。嵌合連結体３１は、ソケットベース２５の開口部２８に嵌合係止する（図５参照）。図示の嵌合連結体３１は逆三角形状を成した板状で、更に係合部３２、係止爪３３、嵌合片３４を備えている（図４参照）。係合部３２は、開口部２８の内側に係合する部位で（図５参照）、図示例では、嵌合連結体３１の上部中央から屈曲形成された板状の左右から一対の係合部３２が張り出すように設けられている（図４参照）。
【００３０】
係止爪３３は、支持体３５の外側面に係止する部位で、図示例では、逆三角形状を成した嵌合連結体３１の三つの角部の位置に係止爪３３を設けている（図４参照）。更に、嵌合片３４は、支持体３５の上端部中央に設けられており、ソケットベース２５の開口部２８内側に強制的に嵌合する部材である。図示の嵌合片３４は、矩形状を成し、ソケットベース２５の開口部２８の内側に凹設した嵌合凹部２８Ａ内に強制嵌合するように設けている（図３参照）。
【００３１】
一方、支持体３５は、この嵌合連結体３１と組み合わせた状態で反射板２１の挿通口２１Ａから下方に突出するように構成されている（図３参照）。この支持体３５下面に２灯用ランプを装着せしめる一対のソケット２２を連結支持する。このとき、一対のソケット２２を外側に傾斜するように支持体３５に連結している。そして、一対の直管形ランプＰの下端面相互で成す角度が４５度になるように設けたものである。
【００３２】
図示の支持体３５は、嵌合連結体３１と対象形状の逆三角形状を成し、嵌合連結体３１の係止爪３３に対応する角部に被係止部３６を形成している（図４参照）。更に、左右の被係止部３６と下端部の被係止部３６との間に一対の係合口３７を形成している。この係合口３７に、ソケット２２の係合溝２２Ａを係合させることで、ソケット２２を連結している。
【００３３】
このソケット２２は、ＬＥＤドライバＱを備えたライティングユニット２０に装着する直管形ＬＥＤランプ用とすることで、直管形ＬＥＤランプを装着することができる（図９参照）。この場合、このソケット２２及び隣接する直管形ＬＥＤランプ用のソケット２２に電源を供給するコネクタ２３と、これらソケット２２及びコネクタ２３を装着するマウントベース２４とを設けている（図１参照）。
【００３４】
このマウントベース２４は、ソケット２２を取付けるソケットベース２５と、コネクタ２３を取付けるコネクタベース２６とが間隙を空けて上下に設置されており、該間隙で直管形ＬＥＤランプのタイプ別又は給電方式別の配線を行う配線スペースを形成した部材である。コネクタ２３は、ソケット２２及び隣接する連続用のソケット２２に電源を供給する部材で、ライティングケース１０の内部に沿って連設される。
【００３５】
クリップ体４０は、ライティングユニット２０をライティングケース１０の開口フランジ１１に連結する部材である（図１参照）。このクリップ体４０は、ソケットベース２５と反射板２１とを貫通してライティングケース１０に係止するように構成されている。更に、このクリップ体４０で、反射板２１の上面にソケットベース２５を固定するものでもある。
【００３６】
図示のクリップ体４０は、連結ボルト４１と係止片４２とで構成している（図１参照）。すなわち、係止片４２は、ライティングケース１０の開口部内側に係止する帯状の部材である。一方、連結ボルト４１は、反射板２１の下面を貫通し、反射板２１上面の係止片４２に連結される部材である。
【００３７】
次に連結ベース３０の使用手順を説明する。まず、嵌合連結体３１の係合部３２を
ソケットベース２５の開口部２８内側に係合する（図５参照）。次に、嵌合連結体３１の係止爪３３を支持体３５の被係止部３６に係止するように支持体３５を操作する（図６参照）。このとき、支持体３５には一対のソケット２２が連結されている。そして、係止爪３３が支持体３５を支持した状態で嵌合片３４を嵌合凹部２８Ａに嵌合させると、連結ベース３０が一体化すると共に、ソケットベース２５の開口部２８に連結ベース３０が固定されるものである（図７参照）。
【００３８】
尚、本発明照明システムでは、直管形ランプＰとして直管形ＬＥＤランプの使用を想定した説明になっているが、直管形蛍光管を装着することも可能である。また、ライティングユニット２０やライティングケース１０の構成など、本発明の各構成は図示例に限定されるものではなく、本発明の要旨を変更しない範囲での設計変更は自由である。
【符号の説明】
【００３９】
Ｐ  直管形ＬＥＤランプ
Ｑ  ＬＥＤドライバ
１０  ライティングケース
１１  開口フランジ
２０  ライティングユニット
２１  反射板
２１Ａ  挿通口
２１Ｂ  係止突起
２２  ソケット
２２Ａ  係合溝
２３  コネクタ
２４  マウントベース
２５  ソケットベース
２６  コネクタベース
３０  連結ベース
３１  嵌合連結体
３２  係合部
３３  係止爪
３４  嵌合片
３５  支持体
３６  被係止部
３７  係合口
４０  クリップ体
４１  連結ボルト
４２  係止片
５０  吊り金具
【要約】
【課題】１灯用に設けられている反射板やソケットベースを共用して２灯用に変更することができる直管形２灯用ライティングユニットを提供する。
【解決手段】ソケットベース２５にソケット２２を連結せしめる開口部２８を形成する。反射板２１の両端部に挿通口２１Ａを形成する。該挿通口２１Ａから下方にソケット２２が突出するように構成する。開口部２８内に着脱自在に嵌合する嵌合連結体を設ける。反射板２１の挿通口２１Ａから下方に突出する支持体を設ける。嵌合連結体と支持体とを組み合せて連結ベース３０を設ける。支持体下面に一対のソケット２２を連結する。該ソケット２２に２灯用の直管形ランプを装着する。
【選択図】  図１【図１】
0005559909.tif 000002
【図２】
0005559909.tif 000003
【図３】
0005559909.tif 000004
【図４】
0005559909.tif 000005
【図５】
0005559909.tif 000006
【図６】
0005559909.tif 000007
【図７】
0005559909.tif 000008
【図８】
0005559909.tif 000009
【図９】
0005559909.tif 000010